(57)【要約】【課題】  ネットワーク接続された各機器が備えるＴＶチューナを利用したＴＶ受信システムを提供する。【解決手段】  ネットワーク接続された連携機器のTVチューナの受信状況を調査して、最良の受信状態にあるチューナを全画面表示用に設定し、それ以外のチューナを用いて縮小一覧表示画面を作成する。また、縮小一覧表示画面を作成する前に全画面要求を送信し、利用者が全画面チャンネルを決定する前から全画面データの受信を開始する。また、各チューナからチャンネル毎の受信状況を得、また、全画面表示チャンネル候補として選択されているチャンネルだけでなく、利用者によるカーソル移動操作などで次に全画面表示チャンネル候補として選択される可能性があるチャンネルについても、全画面要求を送信し、全画面データの受信を開始する。【選択図】図１
2008219311.tif 000002
【特許請求の範囲】
【請求項１】
ネットワーク接続された複数のＴＶ受信機器の映像出力をおこなう映像出力装置であって、
前記ネットワーク接続されたＴＶ受信機器との通信手段と、
前記ネットワーク接続されたＴＶ受信機器にチューナとチャンネルを指定し、前記ＴＶ受信機器で受信したＴＶ放送の縮小画面情報の送信を要求する縮小画面要求手段と、
前記ネットワーク接続されたＴＶ受信機器から受信した複数の前記縮小画面情報を統合して縮小一覧表示画面を作成する縮小一覧表示画面作成手段と、
前記ネットワーク接続されたＴＶ受信機器にチューナとチャンネルを指定し、前記ＴＶ受信機器で受信したＴＶ放送の全画面情報の送信を要求する全画面要求手段と、
前記縮小一覧表示画面作成手段で作成した縮小一覧表示画面と前記全画面要求手段により要求したＴＶ受信機器から受信した全画面を出力する画面出力手段とを備えたことを特徴とする映像出力装置。
【請求項２】
請求項１に記載の映像出力装置において、
前記ネットワーク接続されたＴＶ受信機器のチューナの受信状況を管理する受信状況管理手段を備え、
前記縮小画面要求手段は、前記受信状況管理手段により最良の受信状況にあるチューナとされた最良チューナ以外のチューナを指定して、ＴＶ放送の縮小画面情報の送信を要求し、
前記全画面要求手段は、前記受信状況管理手段により最良の受信状況にあるチューナとされた最良チューナを指定して、ＴＶ放送の全画面情報の送信を要求することを特徴とする映像出力装置。
【請求項３】
請求項２に記載の映像出力装置において、
利用者が前記縮小一覧表示画面内の縮小画面の１つを選択して決定することで全画面用のチャンネルを指定する全画面用チャンネル選択手段を備え、
前記縮小一覧表示画面作成手段により作成された縮小一覧表示画面を表示した後に、前記全画面用チャンネル選択手段により全画面表示チャネルが指定されて、前記ネットワーク接続されたＴＶ受信機器のＴＶ放送の全画面表示をおこなうことを特徴とする映像出力装置。
【請求項４】
請求項１に記載の映像出力装置において、
前記ネットワーク接続されたＴＶ受信機器のチューナの受信状況を当該チューナのチャンネルごとに管理する受信状況管理手段を備え、
前記縮小画面要求手段は、チャンネルごとに前記受信状況管理手段により最良の受信状況にあるチューナとされた最良チューナ以外のチューナを指定して、チャンネルごとにＴＶ放送の縮小画面情報の送信を要求し、
前記全画面要求手段は、チャンネルごとに前記受信状況管理手段により最良の受信状況にあるチューナとされた最良チューナを指定して、チャンネルごとにＴＶ放送の全画面情報の送信を要求することを特徴とする映像出力装置。
【請求項５】
請求項１に記載の映像出力装置において、
前記縮小画面要求手段は前記ＴＶ受信機器で受信したＴＶ放送の符号化された縮小画面情報の送信を要求し、
前記縮小一覧表示画面作成手段は複数の符号化された縮小画面情報を復号化して縮小画面情報を統合して縮小一覧表示画面を作成し、
前記全画面要求手段は前記ＴＶ受信機器で受信したＴＶ放送の符号化された全画面情報の送信を要求し、
前記画面出力手段は前記ＴＶ受信機器から受信し復号化された縮小一覧表示画面と全画面を出力することを特徴とする映像出力装置。
【請求項６】
請求項５に記載の映像出力装置において、さらに、
前記ネットワーク接続されたＴＶ受信機器の縮小画面情報および全画面情報の符号化方式情報を取得する符号化情報要求手段と、
当該映像出力装置の復号化処理方式と前記取得した符号化方式情報が互いに対応可能か否かを調べる符号化方式の確認手段と、
前記復号化処理方式と前記符号化方式情報が対応しない場合に、前記ＴＶ受信機器に当該映像出力装置の復号化処理方式に対応する符号化手段を送信する符号化手段の送信手段とを備え、
前記縮小画面要求手段と前記全画面要求手段の要求以前に、当該映像出力装置と前記ネットワーク接続されたＴＶ受信機器との符号化方式を対応付けることを特徴とする映像出力装置。
【請求項７】
複数のＴＶ受信機器と映像出力装置が接続されてＴＶ放送映像出力をおこなう映像出力システムであって、
前記ＴＶ受信機器は、
ＴＶ放送をチャンネルごとに受信するチューナと、
前記チューナで受信したチャネルのＴＶ放送の縮小画面情報を前記映像出力装置に送信する縮小画面送信部と、
前記チューナで受信したチャネルのＴＶ放送の全画面情報を前記映像出力装置に送信する全画面送信部と、を備え、
前記映像出力装置は、
接続された前記ＴＶ受信機器から受信した複数の前記縮小画面情報を統合して縮小一覧表示画面を作成する縮小一覧表示画面作成手段と、
接続された前記ＴＶ受信機器にチューナとチャンネルを指定し、前記ＴＶ受信機器で受信したＴＶ放送の全画面情報の送信を要求する全画面要求手段と、
前記縮小一覧表示画面作成手段で作成した縮小一覧表示画面と前記全画面要求手段により要求したＴＶ受信機器から受信した全画面を出力する画面出力手段とを備えたことを特徴とする映像出力システム。
【請求項８】
請求項７に記載の映像出力システムにおいて、
前記映像出力装置は、さらに、複数の前記チューナの受信状況を管理する受信状況管理手段を備え、
前記縮小画面要求手段は、前記受信状況管理手段により最良の受信状況にあるチューナとされた最良チューナ以外のチューナを指定して、ＴＶ放送の縮小画面情報の送信を要求し、
前記全画面要求手段は、前記受信状況管理手段により最良の受信状況にあるチューナとされた最良チューナを指定して、ＴＶ放送の全画面情報の送信を要求することを特徴とする映像出力システム。
【請求項９】
請求項８に記載の映像出力システムにおいて、
前記映像出力装置は、さらに、利用者が前記縮小一覧表示画面内の縮小画面の１つを選択して決定することで全画面用のチャンネルを指定する全画面用チャンネル選択手段を備え、
前記縮小一覧表示画面作成手段により作成された縮小一覧表示画面を表示した後に、前記全画面用チャンネル選択手段により全画面表示チャネルが指定されて、接続されたＴＶ受信機器のＴＶ放送の全画面表示をおこなうことを特徴とする映像出力システム。
【請求項１０】
請求項７に記載の映像出力システムにおいて、
前記縮小画面送信部はＴＶ放送の縮小画面情報を符号化して前記映像出力装置に送信し、
前記全画面送信部はＴＶ放送の全画面情報を符号化して前記映像出力装置に送信し、
前記縮小一覧表示画面作成手段は複数の符号化された縮小画面情報を復号化して縮小画面情報を統合して縮小一覧表示画面を作成し、
前記画面出力手段は前記ＴＶ受信機器から受信し復号化された縮小一覧表示画面と全画面を出力することを特徴とする映像出力システム。
【請求項１１】
複数のＴＶ受信機器と映像出力装置が接続されてＴＶ放送映像出力をおこなう映像出力方法であって、
ＴＶ受信機器のチューナの受信レベルを求める受信状況要求を接続されたＴＶ受信機器に送信するステップと、
前記ＴＶ受信機器が有する全てのチューナの受信レベルを調べ、調査結果を受信状況として映像出力装置に送信するステップと、
全チューナの受信状況を統合して受信状況データベースを構築し、受信状況が最良のチューナを全画面表示用に設定するステップと、
最良チューナを除く特定チューナで特定チャンネルを受信し縮小画面データを転送するよう求める縮小画面要求を、各チューナを有するＴＶ受信機器に送信するステップと、
前記ＴＶ受信機器が、指定されたチューナで指定されたチャンネルを受信し、画像を復号化して縮小画面データを作成し、作成した縮小画面データを前記映像出力装置に送信開始するステップと、
前記映像出力装置が、受信した縮小画面データを統合して縮小一覧表示画面を作成し、出力するステップと、
利用者が、前記映像出力装置に対して全画面表示するチャンネルを指定すると、前記映像出力装置が、指定されたチャンネルを最良チューナで受信して全画面データを転送するよう求める全画面要求を、最良チューナを有する前記ＴＶ受信機器に送信するステップと、
最良チューナを有する前記ＴＶ受信機器が、指定されたチャンネルを最良チューナで受信し、画像を復号化して全画面データを作成し、作成した全画面データを前記映像出力装置に送信開始するステップと、
前記映像出力装置が、受信した全画面データを出力するステップと
を有する映像出力方法。
【請求項１２】
複数のＴＶ受信機器と映像出力装置が接続されてＴＶ放送映像出力をおこなう映像出力方法であって、
映像出力装置が、チューナの受信レベルを求める受信状況要求をネットワーク接続されたＴＶ受信機器に送信するステップと、
前記ＴＶ受信機器が、前記ＴＶ受信機器が有する全てのチューナの受信レベルを調べ、調査結果を受信状況として前記映像出力装置に送信するステップと、
前記映像出力装置が、前記映像出力装置および前記ＴＶ受信機器が有する全チューナの受信状況を統合して受信状況データベースを構築し、受信状況が最良のチューナを全画面表示用に設定するステップと、
前記映像出力装置が、最良チューナを除く特定チューナで特定チャンネルを受信し縮小画面データを転送するよう求める縮小画面要求を、各チューナを有する前記ＴＶ受信機器に送信するステップと、
前記ＴＶ受信機器が、指定されたチューナで指定されたチャンネルを受信し、画像を復号化して縮小画面データを作成し、作成した縮小画面データを前記映像出力装置に送信開始するステップと、
前記映像出力装置は、縮小一覧表示画面を作成する前に、縮小一覧表示画面の初期状態で全画面表示チャンネル候補として選択されるチャンネルについて、最良チューナで受信して全画面データを転送するよう求める全画面要求を、最良チューナを有する前記ＴＶ受信機器に送信するステップと、
前記映像出力装置が、受信した縮小画面データを統合し、初期状態の縮小一覧表示画面を作成し、出力するステップと、
この間、最良チューナを有する前記ＴＶ受信機器が、指定されたチャンネルを最良チューナで受信し、画像を復号化して全画面データを作成し、作成した全画面データを前記映像出力装置に送信開始するステップと、
利用者が、選択中の縮小画面を全画面表示させるように前記映像出力装置に指示すると、前記映像出力装置は、受信開始している全画面データを、前記映像出力装置で出力するステップと
を有する映像出力方法。
【請求項１３】
複数のＴＶ受信機器と映像出力装置が接続されてＴＶ放送映像出力をおこなう映像出力方法であって、
映像出力装置が、チューナの受信レベルを求める受信状況要求をネットワーク接続されたＴＶ受信機器に送信するステップと、
前記ＴＶ受信機器が、前記ＴＶ受信機器が有する全てのチューナの受信レベルを調べ、調査結果を受信状況として前記映像出力装置に送信するステップと、
前記映像出力装置が、前記映像出力装置および前記ＴＶ受信機器が有する全チューナの受信状況を統合して受信状況データベースを構築し、受信状況が最良のチューナを全画面表示用に設定するステップと、
前記映像出力装置が、最良チューナを除く特定チューナで特定チャンネルを受信して得たTV受信データを転送するよう求めるTV受信データ要求を、各チューナを有する機器前記ＴＶ受信機器に送信するステップと、
前記ＴＶ受信機器が、指定されたチューナで指定されたチャンネルを受信し、TV受信データを前記映像出力装置に送信開始するステップと、
前記映像出力装置が、前記ＴＶ受信機器より受信を開始したTV受信データを復号化して縮小画面データを作成し、各縮小画面データを統合して縮小一覧表示画面を作成して出力するステップと、
利用者が、前記映像出力装置に対して全画面表示するチャンネルを指定すると、前記映像出力装置が、指定されたチャンネルを最良チューナで受信して得たTV受信データを転送するよう求めるTV受信データ要求を、最良チューナを有する前記ＴＶ受信機器に送信するステップと、
最良チューナを有する前記ＴＶ受信機器が、指定されたチャンネルを最良チューナで受信し、TV受信データを前記映像出力装置に送信開始するステップと、
前記映像出力装置が、前記ＴＶ受信機器より受信を開始したTV受信データを復号化して全画面データを作成して出力するステップとを有するネットワーク連携TV受信方法
【発明の詳細な説明】
【技術分野】
【０００１】
本発明は、ネットワーク接続された各機器が備えるTVチューナを連携して動作させる、ネットワーク連携TV受信システムの仕組みに関する。
【背景技術】
【０００２】
TV（Television）放送の視聴者が視聴するチャンネル数は、BS（Broadcast Satellite）放送やCATV（Cable Television）放送などの普及に伴い、多チャンネル化が進んでいる。数局の地上TV放送しか受信できなかったTV（TV放送受信機器）のように直接チャンネルを指定する形態では、チャンネル数が増えるほどチャンネル番号と放送内容の関連付けが困難になる。そこでチャンネル数の多いBS放送やCATV放送では、各チャンネルの放送内容を例えば16分の1以下に縮小した画面を1画面に16種類表示（以下、縮小一覧表示と呼ぶ）し、視聴者は画面内容から視聴したい放送局を知りリモコンなどでチャンネル番号を入力する手法が普及している。
【０００３】
縮小一覧表示画面は、CATV放送では放送局側が画面データを生成して視聴者側のチューナに届けている。しかし、地上TV放送のように放送局側が縮小一覧表示画面を提供していない場合は、放送局側ではなく受信側が縮小一覧表示画面を作成する必要がある。
【０００４】
この課題を解決する従来の方法として、1台のチューナで受信チャンネルを切り替えて複数のチャンネルのデータを実質的に同時に記憶し、まとめて表示する方法があり、この方法を利用すれば受信側が縮小一覧表示画面を作成することが可能となる（例えば、特許文献１参照）。
【０００５】
【特許文献１】特開２００１−２４５２２６号公報
【発明の開示】
【発明が解決しようとする課題】
【０００６】
特許文献１のようにチャンネルを切り替える方法では、デジタル放送のようにチャンネル切り替えに時間がかかる放送では効果が発揮できない。また、地上TV放送、BS放送、CATV放送など各分野にまたがったチャンネルを混ぜて縮小一覧表示するためには、放送の種類分だけのTVチューナを機器に備えなければならない。
【０００７】
また、複数個のTVチューナを備えたPC（Personal Computer）やHDD（Hard Disk Drive）レコーダが普及しているが、それらのチューナは各機器で独立して利用されているため資源が有効利用されておらず、例えば、受信状況が優れており、かつ現在使用されていないTVチューナが他の機器にあるのに、それを使わずに自機器のTVチューナを利用している、などの状況が発生する。
【０００８】
本発明は上記事情を鑑みてなされたものであり、本発明の目的は、ネットワーク接続された各機器が備えるTVチューナを連携して動作させ、作成した縮小一覧表示画面から利用者が特定の縮小画面を指定すると、システム上で最良の受信状況にあるTVチューナを用いて指定されたチャンネルを受信して素早く全画面表示することを可能とする、ネットワーク連携TV受信システムの仕組みを提供することである。
【課題を解決するための手段】
【０００９】
上記の課題を解決するため、本発明のネットワーク連携TV受信機器は、ネットワーク接続された連携機器との通信手段と、連携機器が有するチューナの受信状況を管理する受信状況管理手段と、チューナとチャンネルを指定し、指定されたチューナで指定されたチャンネルを受信して得たTV放送の縮小画面を送信するよう連携機器に対して縮小画面要求を出す縮小画面要求手段と、連携機器から受信した複数の縮小画面を統合して一覧表示した縮小一覧表示画面を作成する縮小一覧表示画面作成手段と、チューナとチャンネルを指定し、指定されたチューナで指定されたチャンネルを受信して得たTV放送の全画面を送信するよう連携機器に対して全画面要求を出す全画面要求手段と、縮小一覧表示画面作成手段で作成した縮小一覧表示画面、および、連携機器から受信した全画面を出力する画面出力手段とを有する。
【００１０】
また、本発明のネットワーク連携TV受信機器は、受信状況管理手段が、最良の受信状況にあるチューナを全画面用の最良チューナとして設定し、縮小画面要求手段が、最良チューナ以外のチューナを指定して縮小画面要求を連携機器に送信し、利用者から全画面用のチャンネルを指示された場合に、全画面要求手段が、最良チューナと全画面用チャンネルを指定して全画面要求を連携機器に送信する。
【００１１】
また、本発明のネットワーク連携TV受信機器は、利用者が縮小一覧表示画面内の縮小画面の１つを選択して決定することで全画面用のチャンネルを指定する全画面用チャンネル選択手段を有し、利用者が全画面用チャンネル選択手段において選択された全画面用チャンネルに対して決定を行う前に、全画面要求手段が、最良チューナと選択された全画面用チャンネルを指定して全画面要求を連携機器に送信し、利用者が全画面用チャンネル選択手段において選択された全画面用チャンネルに対して決定を行った場合に、画面出力手段が、全画面要求に対する応答として連携機器から受信した全画面を出力する。
【００１２】
また、本発明のネットワーク連携TV受信機器は、利用者が縮小一覧表示画面内の縮小画面の１つを選択して決定することで全画面用のチャンネルを指定する全画面用チャンネル選択手段を有し、チューナ受信状況が、チャンネル毎の受信状況であり、受信状況管理手段が、チャンネル毎に最良の受信状況にあるチューナを抽出し、チャンネル別全画面用最良チューナとして設定し、利用者が全画面用チャンネル選択手段において選択された全画面用チャンネルに対して決定を行う前に、全画面要求手段が、選択された全画面用チャンネルとこのチャンネルに対するチャンネル別全画面用最良チューナを指定して全画面要求を連携機器に送信し、かつ、利用者が全画面用チャンネル選択手段において行う次の操作で選択される可能性がある全画面用チャンネルとこのチャンネルに対するチャンネル別全画面用最良チューナを指定して全画面要求を連携機器に送信し、利用者が全画面用チャンネル選択手段において選択された全画面用チャンネルに対して決定を行った場合に、画面出力手段が、全画面要求に対する応答として連携機器から受信した全画面を出力する。
【００１３】
また、本発明のネットワーク連携TV受信機器は、縮小画面要求が、チューナとチャンネルを指定し、指定されたチューナで指定されたチャンネルを受信して得たTV受信データを送信するよう連携機器に対して要求するものであり、全画面要求が、チューナとチャンネルを指定し、指定されたチューナで指定されたチャンネルを受信して得たTV受信データを送信するよう連携機器に対して要求するものであり、縮小一覧表示画面作成手段が、連携機器から受信した複数のTV受信データをそれぞれ映像復号化して得た縮小画面を統合して一覧表示した縮小一覧表示画面を作成し、画面出力手段が、縮小一覧表示画面作成手段で作成した縮小一覧表示画面、および、連携機器から受信したTV受信データを映像復号化して得た全画面を出力する。
【００１４】
また、本発明のネットワーク連携TV受信機器は、連携機器と暗号通信を行うためのコンポーネント形式のプログラムと、コンポーネントを実行するコンポーネント実行手段と、連携機器が有するコンポーネントの情報を送信するよう連携機器に対してコンポーネント情報要求を出すコンポーネント情報要求手段と、連携機器が有するコンポーネントと自分が有するコンポーネントが互いに対応しているか否かを調べるコンポーネント対応状況確認手段と、自分が有するコンポーネントを連携機器に送信するコンポーネント送信手段とを有し、連携機器との間でコンポーネントを用いて暗号通信を行い、コンポーネント対応状況確認手段が互いのコンポーネントは対応していないと判断した場合に、コンポーネント送信手段が、自分が有するコンポーネントを連携機器に送信する。
【発明の効果】
【００１５】
本発明によれば、ネットワーク接続された連携機器のTVチューナの受信状況を調査して、最良の受信状態にあるチューナを全画面表示用に設定し、それ以外のチューナを用いて縮小一覧表示画面を作成する。このため、自機器が保有するチューナの数以上の縮小画面を一覧表示して、自機器のチューナ以上に受信状況が優れた全画面表示を行うことが可能となり、また、縮小一覧表示画面から全画面表示への切り替えが素早く行える。
【００１６】
また、本発明によれば、ネットワーク連携TV受信機器が、縮小一覧表示画面を作成する前に全画面要求を送信し、利用者が全画面チャンネルを決定する前から全画面データの受信を開始する。このため、利用者が決定した時に素早く全画面表示に切り替えることが可能となる。
【００１７】
また、本発明によれば、ネットワーク連携TV受信機器が、各チューナからチャンネル毎の受信状況を得、また、全画面表示チャンネル候補として選択されているチャンネルだけでなく、利用者によるカーソル移動操作などで次に全画面表示チャンネル候補として選択される可能性があるチャンネルについても、全画面要求を送信し、全画面データの受信を開始する。このため、利用者の操作に応じてより素早く全画面表示に切り替えることが可能となる。
【００１８】
また、本発明によれば、ネットワーク接続された連携機器が画像復号化処理を行ってから画面データをネットワーク連携TV受信機器に転送せず、TV受信データのままネットワーク連携TV受信機器に転送してネットワーク連携TV受信機器が画像復号化処理を行う。このため、大容量のデータがネットワークを流れることがなく、ネットワークにかかる負荷が抑えられる。
【００１９】
また、本発明によれば、暗号通信処理機能をコンポーネント形式のプログラムに実装し、互いに対応していなかった場合には通信相手機器に送信して利用する。このため、暗号通信処理内容を動的に変更することができ、安全な通信を確保しやすくなる。
【発明を実施するための最良の形態】
【００２０】
以下、本発明を実施するための形態について説明する。
まず、本発明の実施形態におけるシステムの概略構成について図１を用いて説明する。
【００２１】
図１に示すように本実施例のシステムは、TV1、TV2、HDDR（HDDレコーダ）、PCから成る。TV2、HDDR、PCはそれぞれが有するTV放送チューナの受信状況をTV1に通知し、また、それぞれのチューナで受信した放送の縮小画面データまたは全画面データをTV1に転送する。TV1は、TV2、HDDR、PCから受信した受信状況を基に縮小一覧表示画面および全画面の受信に最適なチューナを選定し、縮小一覧表示画面または全画面をTV1に出力する。
【００２２】
次に、本発明の実施形態におけるTV1の概略構成について図２を用いて説明する。図２に示す様に本実施例のTV1は、制御装置１１と、記録装置１２と、通信装置１３と、入力装置１４と、受信装置１５と、出力装置１６と、表示装置１７とを有している。
【００２３】
制御装置１１は、記録装置１２が保持している処理プログラムを実行し、機器全体の動作を制御する装置である。
【００２４】
記録装置１２は、TV1の動作を制御する処理プログラムを記録する装置である。記録装置１２の例としては、ディスク、テープ、半導体などがある。記録装置１２が保持する処理プログラムには、機器制御処理部１２１と、受信状況データベース１２２と、受信状況管理処理部１２３と、縮小一覧表示画面生成処理部１２４と、画像復号化処理部１２５と、暗号通信処理コンポーネント１２６とがある。
【００２５】
機器制御処理部１２１は、TV1の各装置を連携させ、ネットワーク連携TV受信機器として動作させる処理部である。例えば、利用者がリモートコントローラ（リモコン）などで指示したチャンネル番号を入力装置１４で受信し、受信装置１５でそのチャンネルのテレビ放送を受信させ、受信したTV受信データに対して画像復号化処理を行って出力装置１６に出力させ、表示装置１７に表示させるTV視聴機能や、通信装置１３を経由してTV2、PC、HDDRなどの他の機器と通信を行い連携して動作させる機器間連携機能などを実現する。また、通信装置１３を介して他の機器から受信した全画面データを出力装置１６に出力させ、表示装置１７に表示させる処理も行う。また、通信装置１３を介してTV受信データ要求を他の機器に送信し、通信装置１３を介して受け取ったTV受信データを画像復号化処理を行って出力装置１６に出力させ、表示装置１７に表示させる処理も行う。
【００２６】
受信状況データベース１２２は、受信状況管理処理部１２３が各機器のTVチューナの受信状況や担当チャンネルを管理するためのデータベースである。
【００２７】
受信状況管理処理部１２３は、受信状況データベース１２２を用いて各機器のTVチューナの受信状況や担当チャンネルを管理する処理部である。各機器から得た受信状況を統合し総合的に判断して最適な担当チャンネルを決定する。
【００２８】
縮小一覧表示画面生成処理部１２４は、通信装置１３を介して各機器に担当チャンネルの縮小画面データ要求を送信し、通信装置１３を介して各機器から受信した縮小画面データを合成して縮小一覧表示画面を生成し、出力装置１６に出力する処理部である。
【００２９】
画像復号化処理部１２５は、通信装置１３を介して他の機器から得たTV受信データ、または受信装置１５を介してアンテナから得たTV受信データの画像復号化処理を行う処理部である。
【００３０】
暗号通信処理コンポーネント１２６は、TV1とHDDR（TV2、PC）の上で動作するコンポーネント形式のプログラムで、TV1とHDDR（TV2、PC）との間で暗号通信を行う。ここで、コンポーネントとは、プログラムの実装部分と、その実装を呼び出すためのインタフェイス部分から成り、プログラム全体を動作させる機器上で動的に交換可能とする仕組みを備えたプログラムである。
【００３１】
通信装置１３は、HDDR（TV2、PC）と通信を行う装置である。通信方式の例としては、USB、IEEE1394、イーサネット（登録商標）、無線LANなどがある。
【００３２】
入力装置１４は、利用者がTV1を操作するインタフェイス装置である。入力装置１４の例としては、ボタン、スイッチ、キー、ダイアル、スティック、パッド、マウス、リモートコントローラ、タッチパネルなどがある。
【００３３】
受信装置１５は、アンテナを介してテレビ放送電波を受信する装置である。なお、受信装置１５は、複数個存在する場合もある。本発明の実施形態においては、TV1は2個の受信装置（TV1-AとTV1-B）を有するものとして説明する。
【００３４】
出力装置１６は、利用者に提供するための音声や画像データを出力する装置である。
【００３５】
表示装置１７は、利用者にテレビ放送画面や縮小一覧表示画面を表示する装置である。表示装置１７の例としては、液晶モニタ、ブラウン管モニタなどがある。なお、表示装置１７は、TV1内に備えられていなくとも、PCやHDDレコーダのように機器に外付けで接続して出力装置１６経由で用いてもよい。
【００３６】
次に、本発明の実施形態におけるHDDRの概略構成について図３を用いて説明する。
【００３７】
図３に示す様に本実施例のHDDRは、制御装置２１と、記録装置２２と、通信装置２３と、入力装置２４と、受信装置２５と、出力装置２６と、HDD２７とを有している。HDDRは、表示装置１７が筐体内に備えられていないことと、HDD２７が備えられていることと、記録装置２２が記録している処理プログラムの内容が異なること以外は、図２に示したTV1と同様であるため、HDD２７と記録装置２２以外については詳細な説明は省略する。
【００３８】
HDD２７はTV放送のコンテンツをハードディスクに記録しておくための装置である。
【００３９】
記録装置２２は、HDDRの動作を制御する処理プログラムを記録する装置である。記録装置２２の例としては、ディスク、テープ、半導体などがある。記録装置２２が保持する処理プログラムには、機器制御処理部２２１と、画像復号化処理部２２２と、暗号通信処理コンポーネント２２３とがある。
【００４０】
機器制御処理部２２１は、HDDRの各装置を連携させ、HDDレコーダ機器として動作させる処理部である。例えば、利用者がリモートコントローラ（リモコン）などで指示したチャンネル番号を入力装置２４で受信し、受信装置２５でそのチャンネルのテレビ放送を受信させ、受信したTV受信データに対して画像復号化処理を行って出力装置２６に出力させるTV出力機能や、利用者の指示に従って受信したテレビ放送のコンテンツをHDD２７に録画させる録画機能や、利用者の指示に従って録画したテレビ放送のコンテンツを出力装置２６に出力させる再生機能などを実現する。また、受信装置２５の受信状況を調査して通信装置２３を介してTV1に結果を通知する処理も行う。また、受信装置２５で受信したTV受信データを通信装置２３を介してTV1に送信する処理も行う。
【００４１】
画像復号化処理部２２２は、受信装置２５を介してアンテナから得たTV受信データの画像復号化処理を行う処理部である。
【００４２】
暗号通信処理コンポーネント２２３は、TV1とHDDR上で動作するコンポーネント形式のプログラムで、TV1とHDDRとの間で暗号通信を行う。暗号通信処理コンポーネント１２６と同一、または、対になって動作するプログラムである。
【００４３】
TV2およびPCについては、表示装置１７やHDD２７の有無と受信装置２５の個数を除き、図３を用いて説明したHDDRの例と同じ構成で同じ処理を行うため、説明は省略する。以下の説明においても、特に断りのない限り、HDDRについての説明はTV2およびPCにも当てはまる。また、受信装置２５については、本発明の実施形態においては、HDDRは2個の受信装置（HDDR-AとHDDR-B）を、TV2は1個の受信装置（TV2-A）を、PCは2個の受信装置（PC-AとPC-B）を、それぞれ有する場合の例を用いて説明する。
【００４４】
また、受信状況の表現方法としては、電波の利得を用いるなど様々な方法があるが、本発明の実施形態においては、「優」「良」「可」「不可」の4段階で表して説明する。「優」が最良の受信状況を表し、「良」が2番目に良い受信状況、「可」は3番目に良い受信状況で、「不可」は十分な電波が受信できないか使用中につきネットワーク連携による利用ができないこと示す。
【実施例１】
【００４５】
以下、本発明を実施するための第１の形態について説明する。本実施例では、TV1が、ネットワーク接続されたHDDR、TV2、PCが保有する各チューナの受信状況から最適なチューナを選択し、各機器から画面データを受信して縮小一覧表示画面および全画面の出力を行う場合の例を説明する。
【００４６】
まず、本実施例におけるTV1の受信状況データベース１２２について、図４を例に用いて説明する。
【００４７】
欄１２２１はチューナを有する機器を示し、欄１２２２は各機器が有するチューナの識別名を示し、欄１２２３は各チューナの受信状況を示している。最良のチューナは、受信状況が「優」であるHDDR-Bであり、HDDR-Bを全画面表示用の最良チューナとして設定した場合の例を用いて、以下を説明する。
【００４８】
次に、本実施例におけるTV1およびHDDR（TV2、PC）の動作について、図５を用いて説明する。
【００４９】
まず、TV1が、チューナの受信レベルを求める受信状況要求をHDDR（TV2、PC）に送信し（ステップ１００１）、次に、HDDR（TV2、PC）が、HDDR（TV2、PC）が有する全てのチューナの受信レベルを調べ、調査結果を受信状況としてTV1に送信する（ステップ１００２）。ここでTV1は、自らもチューナを有しているため、TV1のチューナの受信レベルを調べ、受信状況を取得する。
【００５０】
以下の動作説明においては、TV1がHDDR（TV2、PC）に対して各種要求を送信してHDDR（TV2、PC）が有するチューナを利用する処理を行わせる場合、同じタイミングでTV1は自らが有するチューナを同様に利用して処理を行い、受信状況、縮小画面データ、全画面データ、TV受信データなどを得るものとし、その都度特に説明を述べることはしない。
【００５１】
次に、TV1が、システム（TV1とHDDRとTV2とPC）上の全チューナの受信状況を統合して図４に示す受信状況データベース１２２を構築し、受信状況が最良のチューナHDDR-Bを全画面表示用に設定する（ステップ１００３）。
【００５２】
TV1が、特定チューナ（最良チューナHDDR-Bを除く）で特定チャンネルを受信し縮小画面データを転送するよう求める縮小画面要求を、各チューナを有する機器HDDR（TV2、PC）に送信する（ステップ１００４）。本実施例においては、TV1-Aがch100を、TV1-Bがch200を、TV2-Aがch300を、HDDR-Aがch400を、PC-Aがch500を、PC-Bがch600をそれぞれ受信して縮小画面をデータを取得/転送するよう縮小画面要求を送信する場合を用いて、以下を説明する。
【００５３】
次に、HDDR（TV2、PC）が、指定されたチューナで指定されたチャンネルを受信し（ステップ１００５）、画像を復号化して縮小画面データを作成する（ステップ１００６）。次に、HDDR（TV2、PC）が、作成した縮小画面データをTV1に送信開始する（ステップ１００７）。
【００５４】
次に、TV1が、受信した縮小画面データを統合して縮小一覧表示画面を作成し、出力する（ステップ１００８）。次に、利用者が、TV1に対して全画面表示するチャンネルを指定すると（ステップ１００９）、TV1が、指定されたチャンネルを最良チューナHDDR-Bで受信して全画面データを転送するよう求める全画面要求を、最良チューナHDDR-Bを有する機器HDDRに送信する（ステップ１０１０）。本実施例においては、利用者が、全画面表示するチャンネルとしてch200を指定した場合を用いて、以下を説明する。
【００５５】
次に、最良チューナHDDR-Bを有する機器HDDRが、指定されたch200を最良チューナHDDR-Bで受信し、画像を復号化して全画面データを作成する（ステップ１０１１）。次に、最良チューナHDDR-Bを有する機器HDDRが、作成した全画面データをTV1に送信開始する（ステップ１０１２）。
【００５６】
次に、TV1が、受信した全画面データを出力する（ステップ１０１３）。
【００５７】
次に、本実施例におけるTV1の表示画面について、図６を例に用いて説明する。
【００５８】
図６（A）および（B）は、縮小一覧表示画面の例である。TV1-Aがch100を、TV1-Bがch200を、TV2-Aがch300を、HDDR-Aがch400を、PC-Aがch500を、PC-Bがch600をそれぞれ受信して得た縮小画面が、１つの画面に統合されている。利用者が、全画面表示したいチャンネルを縮小画面を見てカーソルで選び、指定する。カーソルは１つの縮小画面の周囲に少し大きい太枠で示されており、リモコンの上下左右キーなどで移動させる。
【００５９】
図６（A）は、縮小一覧表示画面の初期状態を表しており、全画面表示チャンネル候補としてch100が選択されている。図６（B）は、図６（A）の状態でリモコンの「右」キーを1回押した後の状態を表しており、全画面表示チャンネル候補としてch200が選択されている。図６（C）は、図６（B）の状態でリモコンの「選択/決定」キーを1回押した後の状態を表しており、指定されたch200が最良チューナHDDR-Bで受信されてTV1で全画面表示されている。
【００６０】
なお、本実施例では、画像復号化処理は、記録装置１２に保持された画像復号化処理部１２５が制御装置１１で実行されることで実現される例を用いて説明したが、受信装置１５がハードウェア機能として画像復号化処理機能を有しても良い。
【００６１】
また、本実施例では、ネットワーク接続された機器が保有する各チューナの受信状況から最適なチューナを選択し、各機器から画面データを受信して縮小一覧表示画面および全画面の出力を行う機器の例として、TV1を用いて説明したが、AVサーバのように受信装置１５を有さない機器でもよい。
【００６２】
また、本実施例では、１つのチューナで１つのチャンネルを受信する場合の例を用いて説明したが、地上TV放送などの場合には、短時間でチャンネルを切り替えることにより1つのチューナで実質的に複数の縮小画面データを得る手法と組み合わせても良い。この場合には、縮小一覧表示画面の作成時に必要なチューナの総数を減らすことが可能となる。
【００６３】
また、本実施例では、受信状況の調査方法として、HDDR（TV2、PC）が自ら測定する場合の例を用いて説明したが、TV1がアンテナの大元で利得を下げて行き、ノイズが発生する順番を基に各チューナの受信レベルの優劣を調査しても良い。この場合は、各機器で受信状況を調べる手段を有する必要がなくなる。また、TV1が受信状況要求をHDDR（TV2、PC）に送信するステップ１００１と、HDDR（TV2、PC）が受信状況をTV1に送信するステップ１００２も不要となり、このタイミングでTV1がノイズ発生順の調査を行えば良い。
【００６４】
また、本実施例では、機器が保有する全てのチューナがTV1から利用可能である場合の例を用いて説明したが、例えば、TV2のチューナが現在TV2において視聴中であるためTV1からは利用できない場合などは、TV2が、ステップ１００２で受信状況をTV1に送信する際に、TV2が保有するチューナTV2-Aの受信状況は「不可」である、と通知すれば良い。
【実施例２】
【００６５】
以下、本発明を実施するための第２の形態について説明する。本実施例では、TV1が出力した縮小一覧表示画面を見て利用者が全画面表示用のチャンネルを選択する過程で、利用者が「選択/決定」キーを押す前に全画面データを取得する操作を開始する場合の例を説明する。なお、以下では、他の実施例に記述済みの内容と重複する内容を省略する。
【００６６】
まず、本実施例におけるTV1およびHDDR（TV2、PC）の動作について、図７を用いて説明する。
【００６７】
まず、TV1およびHDDR（TV2、PC）が連携して、チューナの受信状況を調査し受信状況が最良のチューナHDDR-Bを全画面表示用に設定する処理と、最良のチューナHDDR-B以外を用いて縮小画面データを作成・転送する処理を行う（ステップ２００１）。このステップ２００１は、実施例１におけるステップ１００１からステップ１００７に相当する。
【００６８】
次に、TV1は、縮小一覧表示画面を作成する前に、縮小一覧表示画面の初期状態で全画面表示チャンネル候補として選択されるch100について、最良チューナHDDR-Bで受信して全画面データを転送するよう求める全画面要求を、最良チューナHDDR-Bを有する機器HDDRに送信する（ステップ２００２）。次に、TV1が、ステップ２００１で受信した縮小画面データを統合し、全画面表示チャンネル候補としてch100が選択された初期状態の縮小一覧表示画面を作成し、出力する（ステップ２００３）。この時のTV1の画面は、図６（A）である。
【００６９】
この間、最良チューナHDDR-Bを有する機器HDDRが、指定されたch100を最良チューナHDDR-Bで受信し、画像を復号化して全画面データを作成する（ステップ２００４）。次に、最良チューナHDDR-Bを有する機器HDDRが、作成したch100の全画面データをTV1に送信開始する（ステップ２００５）。
【００７０】
次に、利用者が、リモコンで「右」キーを押すなどしてカーソルを１つ右に移動させるようTV1に指示すると（ステップ２００６）、TV1は、縮小一覧表示画面を作成する前に、次の縮小一覧表示画面で全画面表示チャンネル候補として選択されるch200について、最良チューナHDDR-Bで受信して全画面データを転送するよう求める全画面要求を、最良チューナHDDR-Bを有する機器HDDRに送信する（ステップ２００７）。次に、TV1が、ステップ２００１で受信した縮小画面データを統合し、全画面表示チャンネル候補としてch200が選択された状態の縮小一覧表示画面を作成し、出力する（ステップ２００８）。この時のTV1の画面は、図６（B）である。
【００７１】
この間、最良チューナHDDR-Bを有する機器HDDRが、指定されたch200を最良チューナHDDR-Bで受信し、画像を復号化して全画面データを作成する（ステップ２００９）。次に、最良チューナHDDR-Bを有する機器HDDRが、作成したch200の全画面データをTV1に送信開始する（ステップ２０１０）。
【００７２】
次に、利用者が、リモコンで「選択/決定」キーを押すなどして選択中のカーソルが示す縮小画面を全画面表示させるようにTV1に指示すると（ステップ２０１１）、TV1は、ステップ２０１０で受信開始しているch200の全画面データを、TV1で出力する（ステップ２０１２）。この時のTV1の画面は、図６（C）である。
【実施例３】
【００７３】
以下、本発明を実施するための第３の形態について説明する。本実施例では、実施例１においてTV1が各チューナから得る受信状況が、チューナ毎ではなくチャンネル毎である場合の例を説明する。なお、以下では、他の実施例に記述済みの内容と重複する内容を省略する。
【００７４】
まず、本実施例におけるTV1の受信状況データベース１２２について、図８を例に用いて説明する。
【００７５】
欄１２２４はチューナを有する機器を示し、欄１２２５は各機器が有するチューナの識別名を示し、欄１２２６は各チューナのチャンネル毎の受信状況を示している。各チャンネル毎に最良のチューナは異なる。
【００７６】
欄１２２７は、どのチャンネルを縮小一覧表示画面のどの位置に表示するかを記録した縮小一覧表示設定を示している。縮小一覧表示設定１２７は、利用者がTV1に指示して設定を変更できる。本実施例においては、4つの縮小画面を一覧表示する場合の例を用いて、以下を説明する。
【００７７】
欄１２２８は、各チューナが担当する画面種別（縮小画面か全画面か）とチャンネルを示している。縮小画面は1つのチューナが1つのチャンネルを担当しており、全画面は1つのチューナがそれぞれ2つのチャンネルを担当している。欄１２２８は、受信状況管理処理部１２３が、チャンネル毎の受信状況１２２６と縮小一覧表示設定１２２７とを総合して判断し、最適な担当を決定して作成する。
【００７８】
例えば、縮小一覧表示画面の左下に表示したいch100の受信状況は、TV1-AとPC-Bが「優」で最良であるため、TV1-AとPC-Bをch100の全画面担当候補とし、それ以外のチューナで次に受信状況が良いTV1-BとHDDR-AとPC-Aを縮小画面担当候補とする。同様にch20、ch30、ch300の受信状況を考慮して、それぞれのチャンネルの全画面担当候補と縮小画面担当候補を選び、全画面担当と縮小画面担当が競合しないようにすると、一例として、欄１２２８に示すような担当が決定する。
【００７９】
次に、本実施例におけるTV1の表示画面について、図９を例に用いて説明する。
【００８０】
図９（A）および（B）は、縮小一覧表示画面の例である。TV2-Aがch20を、HDDR-Bがch30を、TV1-Bがch100を、PC-Aがch300をそれぞれ受信して得た縮小画面が、１つの画面に統合されている。
【００８１】
図９（A）は、縮小一覧表示画面の初期状態を表しており、全画面表示チャンネル候補としてch20が選択されている。図９（B）は、図９（A）の状態でリモコンの「右」キーを1回押した後の状態を表しており、全画面表示チャンネル候補としてch30が選択されている。図９（C）は、図９（B）の状態でリモコンの「選択/決定」キーを1回押した後の状態を表しており、指定されたch30が、ch30の全画面担当チューナHDDR-Aで受信されてTV1で全画面表示されている。
【００８２】
ここで、図９（A）が示す縮小一覧表示画面の初期状態では、TV1が、全画面表示チャンネル候補として選択されているch20について、ch20の全画面担当チューナTV1-Aで受信して全画面データを転送するよう求める全画面要求を、TV1-Aを有する機器TV1に送信する（実際にはTV1は自分自身なので、要求は送信しないし画面データの転送処理も行われず、全画面データの取得はTV1の内部処理として実行されるが、一般的な場合の説明として自分自身以外の機器にチューナがある場合の例と同様に説明する。以下も同様。）。また同時に、TV1が、利用者によるカーソル移動操作などで次に全画面表示チャンネル候補として選択される可能性がある右隣のch30と下のch100について、それぞれの全画面担当チューナHDDR-AおよびPC-Bで受信して全画面データを転送するよう求める全画面要求を、それぞれのチューナを有する機器HDDRおよびPCに送信する。
【００８３】
同様に、図９（B）が示す縮小一覧表示画面の状態では、TV1が、全画面表示チャンネル候補として選択されているch30について、ch30の全画面担当チューナHDDR-Aで受信して全画面データを転送するよう求める全画面要求を、HDDR-Aを有する機器HDDRに送信する。また同時に、TV1が、利用者によるカーソル移動操作などで次に全画面表示チャンネル候補として選択される可能性がある左隣のch20と下のch300について、それぞれの全画面担当チューナTV1-AおよびPC-Bで受信して全画面データを転送するよう求める全画面要求を、それぞれのチューナを有する機器TV1およびPCに送信する。
【実施例４】
【００８４】
以下、本発明を実施するための第４の形態について説明する。本実施例では、実施例１においてTV1がHDDR（TV2、PC）から受信するデータが、画像復号化済みの画面データではなく、HDDR（TV2、PC）の受信装置２５で得た画像復号化前のTV受信データである場合の例を説明する。なお、以下では、他の実施例に記述済みの内容と重複する内容を省略する。
【００８５】
まず、本実施例におけるTV1およびHDDR（TV2、PC）の動作について、図１０を用いて説明する。
【００８６】
ステップ３００１からステップ３００３は、実施例１におけるステップ１００１からステップ１００３と同じであるので、説明を省略する。
【００８７】
次に、TV1が、特定チューナ（最良チューナHDDR-Bを除く）で特定チャンネルを受信して得たTV受信データを転送するよう求めるTV受信データ要求を、各チューナを有する機器HDDR（TV2、PC）に送信する（ステップ３００４）。
【００８８】
次に、HDDR（TV2、PC）が、指定されたチューナで指定されたチャンネルを受信し（ステップ３００５）、TV受信データをTV1に送信開始する（ステップ３００６）。
【００８９】
次に、TV1が、ステップ３００６でHDDR（TV2、PC）より受信を開始したTV受信データを復号化して縮小画面データを作成し（ステップ３００７）、各縮小画面データを統合して縮小一覧表示画面を作成して出力する（ステップ３００８）。次に、利用者が、TV1に対して全画面表示するチャンネルを指定すると（ステップ３００９）、TV1が、指定されたチャンネルを最良チューナHDDR-Bで受信して得たTV受信データを転送するよう求めるTV受信データ要求を、最良チューナHDDR-Bを有する機器HDDRに送信する（ステップ３０１０）。
【００９０】
次に、最良チューナHDDR-Bを有する機器HDDRが、指定されたチャンネルを最良チューナHDDR-Bで受信し（ステップ３０１１）、TV受信データをTV1に送信開始する（ステップ３０１２）。
【００９１】
次に、TV1が、ステップ３０１２でHDDRより受信を開始したTV受信データを復号化して全画面データを作成して出力する（ステップ３０１３）。
【実施例５】
【００９２】
以下、本発明を実施するための第５の形態について説明する。本実施例では、実施例１においてTV1とHDDR（TV2、PC）が暗号通信を行う場合の例を説明する。なお、以下では、他の実施例に記述済みの内容と重複する内容を省略する。
【００９３】
まず、本実施例におけるTV1およびHDDR（TV2、PC）の動作について、図１１を用いて説明する。
【００９４】
まず、TV1が、HDDR（TV2、PC）が暗号通信処理コンポーネント２２３の保有の有無、また、保有しているならその暗号通信機能の暗号方式、鍵長、公開鍵情報などのコンポーネント情報を求めるコンポーネント情報要求を、通信対象機器であるHDDR（TV2、PC）に送信する（ステップ４００１）。
【００９５】
次に、HDDR（TV2、PC）が、HDDR（TV2、PC）が有する暗号通信処理コンポーネント２２３のコンポーネント情報を収集し、TV1に送信する（ステップ４００２）。
【００９６】
次に、TV1は、ステップ４００２でHDDR（TV2、PC）から受信した暗号通信処理コンポーネント２２３のコンポーネント情報と、TV1が保有する暗号通信処理コンポーネント１２６のコンポーネント情報をつき合わせ、暗号通信処理コンポーネントが互いに対応するか否かを調査する（ステップ４００３）。もし互いに対応しないならば（ステップ４００３のNo）、TV1が、TV1が保有する暗号通信処理コンポーネント１２６を、HDDR（TV2、PC）に送信する（ステップ４００４）。
【００９７】
HDDR（TV2、PC）は、ステップ４００４でTV1から暗号通信処理コンポーネント１２６を受信した場合は、受信した暗号通信処理コンポーネント１２６をTV1との通信処理に利用するように設定する（ステップ４００５）。次に、TV1とHDDR（TV2、PC）は、それぞれが保有している暗号通信処理コンポーネント１２６を利用して互いに暗号通信処理を開始し、例えば、実施例１におけるステップ１００１からの処理を続ける。
【００９８】
ステップ４００３の調査でTV1とHDDR（TV2、PC）が有する暗号通信処理コンポーネントが互いに対応していた場合（ステップ４００３のYes）、TV1とHDDR（TV2、PC）は、それぞれが保有している暗号通信処理コンポーネント１２６と暗号通信処理コンポーネント２２３を利用して互いに暗号通信処理を開始し、例えば、実施例１におけるステップ１００１からの処理を続ける。
【００９９】
本実施例では、暗号通信処理の準備を整えてから、TV1が実施例１におけるステップ１００１の受信状況要求の送信を始める場合の例を用いて説明したが、暗号通信処理の準備は後のタイミングでも良い。例えば、TV1が、ステップ１００１の受信状況要求と共にステップ４００１のコンポーネント情報要求を、HDDR（TV2、PC）に送信し、HDDR（TV2、PC）が、ステップ１００２の受信状況と共にステップ４００２のコンポーネント情報を、TV1に送信しても良い。
【０１００】
また、本実施例では、互いに暗号通信処理を行う場合の例を用いて説明したが、片方向だけの暗号通信処理でも良い。例えば、HDDR（TV2、PC）が画面データをTV1に送信する場合にだけ暗号通信処理を施しても良い。
【０１０１】
また、本実施例では、TV1とHDDR（TV2、PC）が有する暗号通信処理コンポーネントが互いに対応していなかった場合に、TV1がHDDR（TV2、PC）に暗号通信処理コンポーネント１２６を送信してHDDR（TV2、PC）が受信した暗号通信処理コンポーネント１２６を利用する場合の例を用いて説明したが、逆にHDDR（TV2、PC）がTV1に暗号通信処理コンポーネント２２３を送信してTV1が受信した暗号通信処理コンポーネント２２３を利用しても良い。
【０１０２】
以上、本発明の実施形態について説明したが、本発明の実施形態における各実施例の要素を組み合わせて実施するようにしても良い。
【０１０３】
本発明の第１の実施形態によれば、ネットワーク接続された連携機器のTVチューナの受信状況を調査して、最良の受信状態にあるチューナを全画面表示用に設定し、それ以外のチューナを用いて縮小一覧表示画面を作成する。このため、自機器が保有するチューナの数以上の縮小画面を一覧表示して、自機器のチューナ以上に受信状況が優れた全画面表示を行うことが可能となり、また、縮小一覧表示画面から全画面表示への切り替えが素早く行える。
【０１０４】
また、本発明の第２の実施形態によれば、TV1が、縮小一覧表示画面を作成する前に全画面要求を送信し、利用者が全画面チャンネルを決定する前から全画面データの受信を開始する。このため、利用者が決定した時に素早く全画面表示に切り替えることが可能となる。
【０１０５】
また、本発明の第３の実施形態によれば、TV1が、各チューナからチャンネル毎の受信状況を得、また、全画面表示チャンネル候補として選択されているチャンネルだけでなく、利用者によるカーソル移動操作などで次に全画面表示チャンネル候補として選択される可能性があるチャンネルについても、全画面要求を送信し、全画面データの受信を開始する。このため、利用者の操作に応じてより素早く全画面表示に切り替えることが可能となる。
【０１０６】
また、本発明の第４の実施形態によれば、HDDR（TV2、PC）が画像復号化処理を行ってから画面データをTV1に転送する代わりに、TV受信データのままTV1に転送してTV1が画像復号化処理を行う。このため、大容量のデータがネットワークを流れることがなく、ネットワークにかかる負荷が抑えられる。
【０１０７】
また、本発明の第５の実施形態によれば、暗号通信処理機能をコンポーネント形式のプログラムに実装し、互いに対応していなかった場合には通信相手機器に送信して利用する。このため、暗号通信処理内容を動的に変更することができ、安全な通信を確保しやすくなる。
【図面の簡単な説明】
【０１０８】
【図１】本発明の実施形態のシステムの概略構成を示した図である。
【図２】本発明の実施形態のTV1の概略構成を示した図である。
【図３】本発明の実施形態のHDDR（TV2、PC）の概略構成を示した図である。
【図４】本発明の実施例１の受信状況データベース１２２の例を示した図である。
【図５】本発明の実施例１のTV1およびHDDR（TV2、PC）の動作を示した流れ図である。
【図６】本発明の実施例１および２のTV1の表示画面の例を示した図である。
【図７】本発明の実施例２のTV1およびHDDR（TV2、PC）の動作を示した流れ図である。
【図８】本発明の実施例３の受信状況データベース１２２の例を示した図である。
【図９】本発明の実施例３のTV1の表示画面例を示した図である。
【図１０】本発明の実施例４のTV1およびHDDR（TV2、PC）の動作を示した流れ図である。
【図１１】本発明の実施例５のTV1およびHDDR（TV2、PC）の動作を示した流れ図である。
【符号の説明】
【０１０９】
１１…制御装置、１２…記録装置、１３…通信装置、１４…入力装置、１５…受信装置、１６…出力装置、１７…表示装置、２１…制御装置、２２…記録装置、２３…通信装置、２４…入力装置、２５…受信装置、２６…出力装置、２７…ＨＤＤ。
【図１】
2008219311.tif 000003
【図２】
2008219311.tif 000004
【図３】
2008219311.tif 000005
【図４】
2008219311.tif 000006
【図５】
2008219311.tif 000007
【図６】
2008219311.tif 000008
【図７】
2008219311.tif 000009
【図８】
2008219311.tif 000010
【図９】
2008219311.tif 000011
【図１０】
2008219311.tif 000012
【図１１】
2008219311.tif 000013